【事件の表示】
　特許第２９７４６１９号「大型基板の乾燥方法および乾燥装置」の請求項１ないし４に係る特許に対する特許異議の申立てについて、次のとおり決定する。
【結　論】
　特許第２９７４６１９号の請求項１ないし４に係る特許を維持する。
【理　由】
１．手続の経緯
　
　本件特許第2974619号の請求項１ないし請求項４に係る発明は、平成８年９月５日に出願され、平成１１年９月３日に設定登録され、その後、平成１２年５月１０日に特許異議申立人川島与志雄による特許異議の申立てがなされたものである。
　
２．本件発明
　
　本件特許の請求項１ないし請求項４に係る発明は特許明細書の特許請求の範囲の請求項１ないし請求項４に記載された事項により特定される次のとおりのものである。
　
【請求項１】　
　溶剤を含む厚膜ペーストが所定パターンで塗布された大型基板を乾燥する方法であって、
前記大型基板を一方向に沿って設けられた複数の停止位置に間歇的に移動させる移動工程と、
前記複数の停止位置の各々において、前記大型基板を構成する複数の領域毎に各々の温度上昇特性に応じて温度上昇し難い領域程高い放射照度の遠赤外線を該大型基板に対向する遠赤外線放射体を備えた遠赤外線ヒータから照射することにより前記大型基板を均一に加熱する加熱工程と、
前記複数の停止位置の各々において、前記加熱と同時に前記遠赤外線ヒータの裏面側から該遠赤外線ヒータを通して前記大型基板の中央に向かって空気を供給する送風工程とを、含むことを特徴とする大型基板の乾燥方法。
　
【請求項２】
　前記送風工程は、前記供給した空気を前記大型基板の下方から外部に排出するものである請求項１の大型基板の乾燥方法。
　
【請求項３】　
　溶剤を含む厚膜ペーストが所定パターンで塗布された大型基板を乾燥するための大型基板の乾燥装置であって、
前記大型基板を予め定められた複数の停止位置毎に停止させつつ一方向に沿って所定のサイクルで間歇的に搬送するための搬送装置と、
前記複数の停止位置の各々において遠赤外線放射体が前記大型基板に対向するように設けられ、該遠赤外線放射体から放射される遠赤外線の放射発散度が予め定められた所定区画毎に制御される複数の遠赤外線ヒータと該遠赤外線放射体の所定区画毎に放射される遠赤外線の放射発散度を、前記大型基板を構成する複数の領域毎に各々の温度上昇特性に応じて温度上昇し難い領域程照射される遠赤外線の放射照度が高くなるように該複数の遠赤外線ヒータ毎に制御するための制御装置と、
前記複数の停止位置の各々において前記遠赤外線ヒータの裏面側に備えられ、該遠赤外線ヒータを通して該大型基板の中央に向かって空気を供給するための送風装置とを、含むことを特徴とする大型基板の乾燥装置。
　
【請求項４】
　前記送風装置から供給された空気を外部に排出するために前記大型基板の下側に設けられた排気口を更に含むものである請求項３の大型基板の乾燥装置。
　
３．特許異議申立ての理由の概要
　
　特許異議申立人川島与志雄は、証拠として甲第１〜３号証を提出し、本件請求項１ないし請求項４に係る特許発明は甲第１〜３号証に記載された発明に基づいて当業者が容易に発明をすることができたものであるから、特許法第２９号第２項の規定により特許を受けることができないものであり、本件の請求項１ないし請求項４に係る特許は、特許法第１１３条第１項第２号の規定により取り消すべき旨主張するものであり、以下の証拠を提出している。
　
　甲第１号証：実公昭４８−１９１８３号公報
　甲第２号証：「フラットパネル・ディスプレイ1990」日経ＢＰ社　１９８９年１１月１日発行　第２６頁　
　甲第３号証：特開昭６３−１０４６８１号公報
　
４．甲各号証の記載内容
　
　甲第１号証には、
「以下図示の実施例について詳細に説明すれば、１は空気加熱器で、石英チューブヒーターを千鳥状に配列して酸化被膜が溶剤上に附着しないようになつている。２は内部に整流板２１を取付けて熱風の均一送風を行う整流室、３は熱風を乾燥室へ供給するダクト、４は遠赤外線ヒーター５の反射板で、この反射板４は隣接する反射板４との間でノズル７を形成し、ダクト３から送風される熱風をコンベア８上の被乾燥物に噴射するのである６は前記遠赤外線ヒーター５群を固定するヒーター枠で、被乾燥物との間隔を調整螺杆およびハンドルを介して自由に調節しうるようになつている９は排気ダクトで、一端は複数の分岐管を介してコンベア８の下部に関口した排気口に接続し、他端は排風器に接続している。１０１は送風器の調節ダンパー、１０２ は排気ダクト９に取付けた調節ダンバー、１１は整流室２、送風ダクト３およびヒーター群の機壁に取付けた断熱材、１２は遠赤外線ヒーター５の下面全長にわたり、被乾燥物の移送方向に沿って一定間隔に取付けた保護線条である。本考案は上記の構成からなり、紙差し機を経て乾燥機のコンベア８に送り込まれたビニールコートまたはニス引きした枚葉物は乾燥機内を移送される間に赤外線照射とノズル７よりの熱風噴射を交互に受しるようになっている。この間被乾燥物はコンベア８の下部に排気口を開口して、送風量に比例（例えば１：１．５〜２．０）した排気を行うようになっているため排気ダクト９の吸引力によってコンベア８に吸着され上方から噴射される熱風によって飛散することがない。」
と記載されている。（第１頁左欄３１行〜同頁右欄２３行）
　即ち、甲第１号証には、ビニールコートまたはニス引きした枚葉物を乾燥する方法であって、
前記枚葉物を一方向に沿って移動させる移動工程と、
遠赤外線を該枚葉物に対向する遠赤外線放射体を備えた遠赤外線ヒータから照射することにより前記枚葉物を加熱する加熱工程と、
前記加熱と同時に前記遠赤外線ヒータの裏面側から該遠赤外線ヒータを通して前記枚葉物に向かって空気を供給する送風工程とを、含み、更に前記送風工程は、前記供給した空気を前記大型基板の下方から外部に排出するものであることを特徴とする枚葉物の乾燥方法が記載されている。
　また、ビニールコートまたはニス引きした枚葉物を乾燥するための乾燥装置であって、
前記枚葉物を一方向に沿って搬送するための搬送装置と、
遠赤外線放射体が前記枚葉物に対向するように設けられた複数の遠赤外線ヒータと、
前記遠赤外線ヒータの裏面側に備えられ、該遠赤外線ヒータを通して該枚葉物に向かって空気を供給するための送風装置と、前記送風装置から供給された空気を外部に排出するために前記枚葉物の下側に設けられた排気口を、含むことを特徴とする枚葉物の乾燥装置が記載されている。
　
　甲第２号証には、サーマルヘッドやハイブリッドＩＣ、液晶、ＳＩウエハー処理、光学レンズ等を加熱処理する遠赤外線焼成炉において、被搬送物を間歇的に搬送する手段として、ウォーキングビーム方式の搬送装置を設けることが記載されている。
　
　甲第３号証には、
「発明が解決すべき問題点
　ところで、上記塗装乾燥機においては少なくとも上下方向において配設された遠赤外線パネル式ヒータから発射された遠赤外線が被塗装部材に投射され、これにより被塗装部材が専ら加熱されるが、各遠赤外線パネル式ヒータにそれぞれ同じ電力エネルギなどを供給させると、対流などの影響により被加熱部材の上部温度が下部に対して高くなり、温度分布に不均一が生じる不都合があった。
　問題点を解決するための手段
　本発明は以上の事情を背景として為されたものであり、その要旨とするところは、搬送装置により一列に搬送される被塗装部材に対面し且つ少なくとも上下方向において面状に配列された複数の遠赤外線パネル式ヒータを有する塗装乾燥装置において、（ａ）前記複数の遠赤外線パネル式ヒータの内、上部に位置する遠赤外線パネル式ヒータの出力を制御する上部出力制御装置と、（ｂ）前記複数の遠赤外線パネル式ヒータの内、下部に位置する遠赤外線パネル式ヒータの出力を制御する下部出力制御装置と、を含むことにある。
　作用および発明の効果
　このようにすれば、被塗装部材に対面し且つ少なくとも上下方向において面状に配列された複数の遠赤外線パネル式ヒータの内の上部のものが上部出力制御装置により出力制御され、下部のものが下部出力制御装置により出力制御されるので、被塗装部材の上部および下部の加熱状態に応じて上部および下部に位置する遠赤外線パネル式ヒータの出力を設定し或いは制御することにより、乾燥領域中の被塗装物の温度分布を好適に改善することができる。」
と記載されている。（第１頁右下欄１７行〜第２頁右上欄９行）
  即ち、甲第３号証には、被塗装物を乾燥する方法であって、
前記被塗装物を一方向に沿って移動させる移動工程と、
前記被塗装物を構成する複数の領域毎に各々の温度上昇特性に応じて温度上昇し難い領域程高い放射照度の遠赤外線を該被塗装物に対向する遠赤外線放射体を備えた遠赤外線ヒータから照射することにより前記被塗装物を均一に加熱する加熱工程とを、含むことを特徴とする被塗装物の乾燥方法が記載されており、
　また、被塗装物の乾燥装置であって、
前記被塗装物を一方向に沿って搬送するための搬送装置と、
遠赤外線放射体が前記被塗装物に対向するように設けられ、該遠赤外線放射体から放射される遠赤外線の放射発散度が予め定められた所定区画毎に制御される複数の遠赤外線ヒータと該遠赤外線放射体の所定区画毎に放射される遠赤外線の放射発散度を、前記被塗装物を構成する複数の領域毎に各々の温度上昇特性に応じて温度上昇し難い領域程照射される遠赤外線の放射照度が高くなるように該複数の遠赤外線ヒータ毎に制御するための制御装置とを含むことを特徴とする被塗装物の乾燥装置か記載されている。
　
５．対比・判断
　
　請求項１に係る発明と甲第１ないし３号証に記載の発明とを比較すると、甲第１ないし３号証記載の発明のいずれにも、請求項１に係る発明の「前記大型基板を一方向に沿って設けられた複数の停止位置に間歇的に移動させる移動工程と、
　前記複数の停止位置の各々において、前記大型基板を構成する複数の領域毎に各々の温度上昇特性に応じて温度上昇し難い領域程高い放射照度の遠赤外線を該大型基板に対向する遠赤外線放射体を備えた遠赤外線ヒータから照射することにより前記大型基板を均一に加熱する加熱工程と、
　前記複数の停止位置の各々において、前記加熱と同時に前記遠赤外線ヒータの裏面側から該遠赤外線ヒータを通して前記大型基板の中央に向かって空気を供給する送風工程とを、含む」点が記載されておらず、示唆もされていない。
　そして、本件特許の請求項１に係る発明は、上記構成を有することにより、明細書に記載された作用効果を奏するものである。
　したがって、本件特許の請求項１に係る発明は甲第１号証ないし甲第３号証に記載された発明に基づいて当業者が容易に発明をすることができたものであるとすることはできない。
　
　本件特許の請求項２に係る発明は、同請求項１に係る発明をさらに限定するものであるから、請求項１に係る発明についての判断と同様の理由により、甲第１号証ないし甲第３号証に記載された発明に基づいて当業者が容易に発明をすることができたものであるとすることはできない。
　
　次に、請求項３に係る発明と甲第１ないし３号証に記載の発明とを比較すると、甲第１ないし３号証記載の発明のいずれにも、請求項３に係る発明の「前記大型基板を予め定められた複数の停止位置毎に停止させつつ一方向に沿って所定のサイクルで間歇的に搬送するための搬送装置と、
　前記複数の停止位置の各々において遠赤外線放射体が前記大型基板に対向するように設けられ、該遠赤外線放射体から放射される遠赤外線の放射発散度が予め定められた所定区画毎に制御される複数の遠赤外線ヒータと
　該遠赤外線放射体の所定区画毎に放射される遠赤外線の放射発散度を、前記大型基板を構成する複数の領域毎に各々の温度上昇特性に応じて温度上昇し難い領域程照射される遠赤外線の放射照度が高くなるように該複数の遠赤外線ヒータ毎に制御するための制御装置と、
　前記複数の停止位置の各々において前記遠赤外線ヒータの裏面側に備えられ、該遠赤外線ヒータを通して該大型基板の中央に向かって空気を供給するための送風装置とを、含む」点が記載されておらず、示唆もされていない。
　そして、本件特許の請求項３に係る発明は、上記構成を有することにより、明細書に記載された作用効果を奏するものである。
　したがって、本件特許の請求項３に係る発明は甲第１号証ないし甲第３号証に記載された発明に基づいて当業者が容易に発明をすることができたものであるとすることはできない。
　
　本件特許の請求項４に係る発明は、同請求項３に係る発明をさらに限定するものであるから、請求項３に係る発明についての判断と同様の理由により、甲第１号証ないし甲第３号証に記載された発明に基づいて当業者が容易に発明をすることができたものであるとすることはできない。
　
６．むすび
　
以上のとおりであるから、特許異議申立ての理由及び証拠によっては、本件請求項１ないし請求項４に係る発明の特許を取り消すことはできない。
　また、他に本件請求項１ないし請求項４に係る特許を取り消すべき理由を発見しない。
　よって、結論のとおり決定する。
【異議決定日】
平成１２年７月１７日（２０００．７．１７）